(57)【要約】【課題】テーブルデータ作成の効率を高めると共に、テーブルデータの品質の向上を図る監視制御システム及びテーブルデータの変更方法を提供する。【解決手段】この遠隔監視制御システム１００は、複数の制御対象機器６０、６１を監視して遠隔制御する複数のＴＣ装置６２〜６４と、制御対象機器６０、６１の状態設定及び制御に関する情報が管理されているＤＸ装置６５、６７と、制御対象機器６０、６１の計測・監視・制御に関する各種の情報授受を行なうネットワーク６６と、テーブルデータを登録しＤＸ装置６５、６７を介して制御対象機器６０、６１を制御するＭＰ装置６８と、それをメンテナンスするメンテナンス装置６９と、を備えて構成される。尚、電力会社３には、ＤＸ装置６７、ＭＰ装置６８及びメンテナンス装置６９が備えられる。【選択図】図１
2007317006.tif 000002
【特許請求の範囲】
【請求項１】
制御対象機器を遠隔制御する監視制御システムであって、
少なくとも１以上の前記制御対象機器を監視して遠隔制御する少なくとも１以上の遠隔監視制御装置と、
前記制御対象機器の状態設定及び制御に関する情報が管理されている情報集配信装置と、
前記制御対象機器の計測・監視・制御に関する各種の情報授受を行なう通信手段と、
テーブルデータを登録し前記情報集配信装置を介して前記制御対象機器を制御する制御装置と、を備え、
前記制御装置は、前記遠隔監視制御装置を他の遠隔監視制御装置に切り替える場合、メンテナンス対象外のテーブルデータとの接続関係を維持したまま、前記テーブルデータに登録されたメンテナンス対象の制御対象機器に関する定義内容のみを書き換えることを特徴とする監視制御システム。
【請求項２】
前記制御装置は、変更前の旧テーブルデータをコピーして変更後の新テーブルデータと並べて表示することにより、変更内容を定義可能としたことを特徴とする請求項１に記載の監視制御システム。
【請求項３】
前記制御装置は、前記制御対象機器の切替日を入力することにより、切替工事日毎に必要な作業項目を自動的に作成すると共に、前記新旧テーブルデータの変更内容に関する結果情報を表示することを特徴とする請求項１又は２に記載の監視制御システム。
【請求項４】
前記遠隔監視制御装置の取り替えに伴うテーブルデータの変更方法であって、
前記制御対象機器のメンテナンスを行なう場合、変更前の旧テーブルデータをコピーして変更後の新テーブルデータと並べて表示し、メンテナンス対象外のテーブルデータとの接続関係を維持したまま、前記旧テーブルデータに登録されたメンテナンス対象の制御対象機器に関する定義内容のみを書き換えて前記新テーブルデータを作成し、前記制御対象機器の切替日を入力することにより、切替工事日毎に必要な作業項目を作成すると共に、前記新旧テーブルデータの変更内容に関する結果情報を表示することを特徴とするテーブルデータの変更方法。
【発明の詳細な説明】
【技術分野】
【０００１】
本発明は、監視制御システム及びテーブルデータの変更方法に関し、さらに詳しくは、制御対象機器のメンテナンスに伴うテーブルデータの変更を確実に、且つ容易に実行するテーブルデータの変更技術に関するものである。
【背景技術】
【０００２】
従来から中央制御装置に記憶された制御プログラムに基づいて遠隔制御により機器を制御する場合、制御される機器は通常は無人で稼動される場合が多いため、機器の新増設時には、テーブルデータを修正することで、ソフトウェアの修正なしに対応可能な仕組みとなっている場合が多い。例えば、遠隔監視制御装置は、耐用年数の経過や新機種への交換等のために適宜入れ換えが行われるが、この入れ換えに際しては、これら中央制御装置に記憶されているデータのメンテナンスが必要となる。即ち、メンテナンスを行う場合、複雑かつ膨大なデータの中から変更対象となるデータを適切に把握し、把握された変更対象のデータに対して正しく変更を行う必要がある。また、機械化処理を容易化する等の理由により、データはコード化されて管理されていることが多く、上記メンテナンスには豊富な知識と経験が必要とされる。
【０００３】
そこで電力業務に用いられる設備に関する多数の項目に対応させたデータを効率よく管理するために、同一出願人より特許文献１に示す従来技術が開示されている。即ち、電力業務に用いられる設備に関する多数の項目に対応するデータを管理する情報処理システムによる情報処理方法において、前記データを記憶し、前記データの変更入力を受け付け、変更入力に応じて前記データ記憶部に記憶しているデータを変更し、前記データの変更がなされた項目を検索し、項目及びデータを一覧的にディスプレイに表示するとともに、検索された項目もしくはデータを強調表示する情報処理方法について開示されている。
【特許文献１】特開２００５−２７５７５１公報
【発明の開示】
【発明が解決しようとする課題】
【０００４】
しかしながら、特許文献１に開示されている従来技術は、電力系統監視制御システムのデータメンテナンス業務全般の方法と、それを処理しているシステム構成の発明であり、より詳細なマウス操作によるコピーや新データへの切替時の結果表示機能については言及していない。
本発明は、かかる課題に鑑み、遠隔監視制御装置を取り替える場合、メンテナンス対象外のテーブルデータとの接続関係を維持したまま、テーブルデータに登録されたメンテナンス対象の制御対象機器に関する定義内容のみを書き換えるようにして、テーブルデータ作成の効率を高めると共に、テーブルデータの品質の向上を図る監視制御システム及びテーブルデータの変更方法を提供することを目的とする。
【課題を解決するための手段】
【０００５】
本発明はかかる課題を解決するために、請求項１は、制御対象機器を遠隔制御する監視制御システムであって、少なくとも１以上の前記制御対象機器を監視して遠隔制御する少なくとも１以上の遠隔監視制御装置と、前記制御対象機器の状態設定及び制御に関する情報が管理されている情報集配信装置と、前記制御対象機器の計測・監視・制御に関する各種の情報授受を行なう通信手段と、テーブルデータを登録し前記情報集配信装置を介して前記制御対象機器を制御する制御装置と、を備え、前記制御装置は、前記遠隔監視制御装置を他の遠隔監視制御装置に切り替える場合、メンテナンス対象外のテーブルデータとの接続関係を維持したまま、前記テーブルデータに登録されたメンテナンス対象の制御対象機器に関する定義内容のみを書き換えることを特徴とする。
本発明の制御装置は、複数の制御対象機器との間を通信手段を介して接続されている。そして制御装置内には制御対象機器の状態設定及び制御に関する情報が管理されているテーブルデータが保存されている。このような構成により、制御装置が制御対象機器のメンテナンスを行なう場合、メンテナンス対象外のテーブルデータとの接続関係を維持したまま、テーブルデータに登録されたメンテナンス対象の制御対象機器に関する定義内容のみを書き換えるものである。
【０００６】
請求項２は、前記制御装置は、変更前の旧テーブルデータをコピーして変更後の新テーブルデータと並べて表示することにより、変更内容を定義可能としたことを特徴とする。
本発明の他の特徴は、新旧テーブルデータを並べて表示する点である。これにより、何処を変更したかを定義することが容易に行うことができる。
【０００７】
請求項３は、前記制御装置は、前記制御対象機器の切替日を入力することにより、切替工事日毎に必要な作業項目を自動的に作成すると共に、前記新旧テーブルデータの変更内容に関する結果情報を表示することを特徴とする。
本発明では、制御対象機器のテーブルデータを切り替える場合、その機器を停止する必要がある。そのため、切替日に応じて作業項目が異なってくる。そこで本発明では、切替日を入力することで、自動的にその切替日に対応した作業項目を割り出して作成するものである。
【０００８】
請求項４は、前記遠隔監視制御装置の取り替えに伴うテーブルデータの変更方法であって、前記制御対象機器のメンテナンスを行なう場合、変更前の旧テーブルデータをコピーして変更後の新テーブルデータと並べて表示し、メンテナンス対象外のテーブルデータとの接続関係を維持したまま、前記旧テーブルデータに登録されたメンテナンス対象の制御対象機器に関する定義内容のみを書き換えて前記新テーブルデータを作成し、前記制御対象機器の切替日を入力することにより、切替工事日毎に必要な作業項目を作成すると共に、前記新旧テーブルデータの変更内容に関する結果情報を表示することを特徴とする。
本発明は請求項１乃至３と同様の作用効果を奏する。
【発明の効果】
【０００９】
本発明によれば、制御装置が遠隔監視制御装置の取り替えに伴いメンテナンスを行なう場合、メンテナンス対象外のテーブルデータとの接続関係を維持したまま、テーブルデータに登録されたメンテナンス対象の制御対象機器に関する定義内容のみを書き換えるので、データを入力する手間が省略され、データの入力作業を効率良く進めることができる。また、何処を変更したかを定義することが容易に行うことができ各切替日毎の作業を漏れなく行うことができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の遠隔監視制御システムの概略構成図である。この遠隔監視制御システム１００は、複数の制御対象機器６０、６１を監視して遠隔制御する複数のＴＣ装置（遠隔監視制御装置）６２〜６４と、制御対象機器６０、６１の状態設定及び制御に関する情報が管理されているＤＸ装置（情報集配信装置）６５、６７と、制御対象機器６０、６１の計測・監視・制御に関する各種の情報授受を行なうネットワーク（通信手段）６６と、テーブルデータを登録しＤＸ装置６５、６７を介して制御対象機器６０、６１を制御するＭＰ装置６８と、それをメンテナンスするメンテナンス装置６９と、を備えて構成される。尚、電力会社３には、ＤＸ装置６７、ＭＰ装置６８及びメンテナンス装置６９が備えられる。また、電力会社３はネットワーク７０を介してメンテナンス会社７内のメンテナンス装置７３と接続されている。また、ネットワークを使用しないで、専用線或いは無線により接続しても良い。また、図１では、制御信号を破線７１で表し、表示情報を実線７２で表している。
【００１１】
次に本発明の遠隔監視制御システム１００の概略動作について説明する。例えば、ＴＣ装置６３をＴＣ装置６４に取り替える場合、本発明の遠隔監視制御システム１００は、変更前の旧テーブルデータをコピーして変更後の新テーブルデータと並べて表示し、メンテナンス対象外のテーブルデータとの接続関係を維持したまま、旧テーブルデータに登録されたメンテナンス対象のＴＣ装置６３に関する定義内容のみを書き換えて新テーブルデータを作成し、制御対象機器６１の切替日を入力することにより、切替工事日毎に必要な作業項目を作成すると共に、新旧テーブルデータの変更内容に関する結果情報を表示するものである。
【００１２】
図２は本発明の遠隔監視制御システムがＴＣ装置を取り替える場合のＴＣ取替ソフトの動作を説明する図である。図３のフローチャートを参照しながら説明する。まず、電力会社３のＭＰ装置６８はＭＰメンテナンスソフト１０により、データベース１１に格納されている運用中データ、断面１、断面２等のデータをＴＣ取替ソフトにインポートする（図５のＴＣ取替メニューにより「ＭＰインポート」ボタン２５を押すことにより実行される）（Ｓ１）。ここで断面とは、切替日毎の作業項目を切り出したものをいう。次に、制御対象機器６０、６１の状態や故障表示（ＳＶ）と遮断器の電流値（ＴＭ）等の実ポジションを作成する（詳細は後述する）（Ｓ２）。次にＤＸメンテナンスソフト１３からＤＸデータを取り込み（図１７のＴＣ取替メニューにより「ＤＸデータ取込」ボタン５０を押す）（Ｓ３）、ＤＸ比較表１４を作成して印刷する（図１７の「ＤＸ比較表印刷」ボタン５３が表示されそのボタンを押すと印刷が開始される）（Ｓ４）。次に、ポジション表１５を印刷して（図１８のポジション表作成メニューにより、出力先を指定して「ＯＫ」ボタン５４を押すと印刷を開始する）（Ｓ５）、各送信データを作成して（図１９の送信データ作成メニューにより、出力先を指定して「ＯＫ」ボタン５５を押すとファイルが出力する）（Ｓ６）、メンテナンス会社７にメール等で送信する（Ｓ７）。
【００１３】
メンテナンス会社７はそのデータを受信して受信データを取り込む（Ｓ８）。次に受信データに基づいて仮想データを入力し（図５のＴＣ取替メニューにより「ＳＶ処理項目仮想」ボタン２２を押すことにより実行される）（Ｓ９）、データ展開ソフト１９によりデータを展開してＭＰメンテナンスソフト２０のデータベース２１へ反映する（Ｓ１０）。そして、元のデータベースの内容と反映したデータとの差分データを電力会社３に送信して（Ｓ１１）、電力会社３はその差分データを受信してデータベースに登録する（Ｓ１２）。
【００１４】
図４は図３のＳＶ・ＴＭ実ポジション作成の中身を詳細に説明するフローチャートである。まずＳＶ処理項目の実Ｃｈを編集する場合は、図６のＴＣ取替メニューにより「ＳＶ処理項目実」ボタン２６を押す（Ｓ２１）。他にもＳＶ処理項目の仮想Ｃｈを編集する場合は、「ＳＶ処理項目仮想」ボタン２７を押す。またＴＭ処理項目の実Ｃｈを編集する場合は、「ＴＭ処理項目実」ボタン２８を押す。またＴＭ処理項目の仮想Ｃｈを編集する場合は、「ＴＭ処理項目仮想」ボタン２９を押す。次に、図７の「ＣＨ選択」ボタン３０を押すことにより、図８の変更前ＣＨ３１が表示されるので、その中からＣＨを選択して「選択」ボタン３２を押す（Ｓ２２）。次に選択したＣＨを取り込むために「全件取込」ボタン３３を押す（Ｓ２３）。これにより、図１０のように旧ＣＨからワード・ビット３４がクリアされた状態で新データが作成される（Ｓ２４）。次に図１０の画面により日付欄３５、３６をダブルクリックすることにより、図１１の「日付設定」画面が表示され、日付を設定して「実行」ボタン３７を押すことにより日付が設定される（Ｓ２５）。次に図１２の画面により「表示更新」ボタン３９を押すことにより（Ｓ２６）、左端に結果が表示される（Ｓ２７）。この結果の例として、「入替」とは、要素はそのままで新ＴＣ装置側のワード・ビットに置き換わった場合をいう。「削除」とは、旧ＴＣ装置側の要素が新ＴＣ装置側に無い場合をいう。「分割」とは、旧ＴＣ装置側で１つの要素を新ＴＣ装置側で複数に振り分けた場合をいう。「統合」とは、旧ＴＣ装置側で複数の要素を新ＴＣ装置側で１つにまとめた場合をいう。尚、ＴＭ処理項目の実ポジション作成は、図１６の画面により図６で説明したＳＶ処理項目の実ポジション作成と同様に行うことができる。
【００１５】
尚、この他の機能として、図１３のように他ＣＨからデータを引用することが可能である。即ち、「引用」４１にチエックしてから「ＣＨ選択」ボタン４２を押すことにより、ＣＨ４３を選択して「選択」ボタン４４を押す。それにより、レコードセレクタ４５のマークを押して、最終行へ移動し、旧設備コードをクリックすると引用データが選択可能となり、それを選択することにより、データがコピーできる。
また並べ替え機能がある。即ち、図１４のように「並べ替え」ボタン４７を押すことにより、４８ａの順序を４８ｂのように並べ替えて表示することができる。
またデータを確定するためには、図１５のように「確定」ボタン４９ａを押すことにより、データの変更が不可となりデータを確定することができる。また、「解除」ボタン４９ｂをおすことにより、確定を解除してデータを変更することができる。
【００１６】
以上の通り本発明によれば、メンテナンス装置６９がＴＣ装置６３の取り替えに伴いメンテナンスを行なう場合、メンテナンス対象外のテーブルデータとの接続関係を維持したまま、テーブルデータに登録されたメンテナンス対象のＴＣ装置６３の該当する部分に関する定義内容のみを書き換えるので、データを入力する手間が省略され、データの入力作業を効率良く進めることができる。
また、メンテナンス装置６９は、変更前の旧テーブルデータをコピーして変更後の新テーブルデータと並べて表示することにより、変更内容を定義可能としたので、何処を変更したかを定義することが容易に行うことができる。
【００１７】
また、切替日を入力することで、自動的にその切替日に対応した作業項目を割り出して作成するので、各切替日毎の作業を漏れなく行うことができる。
また、ＴＣ装置６３の取り替えに伴いメンテナンスを行なう場合、変更前の旧テーブルデータをコピーして変更後の新テーブルデータと並べて表示し、メンテナンス対象外のテーブルデータとの接続関係を維持したまま、旧テーブルデータに登録されたメンテナンス対象の該当する部分に関する定義内容のみを書き換えて新テーブルデータを作成し、制御対象機器の切替日を入力することにより、切替工事日毎に必要な作業項目を作成すると共に、新旧テーブルデータの変更内容に関する結果情報を表示するので、データを入力する手間が省略され、データの入力作業を効率良く進めることができる。また、何処を変更したかを定義することが容易に行うことができ各切替日毎の作業を漏れなく行うことができる。
【図面の簡単な説明】
【００１８】
【図１】本発明の遠隔監視制御システムの概略構成図である。
【図２】本発明の遠隔監視制御システムがＴＣ装置を取り替える場合のＴＣ取替ソフトの動作を説明する図である。
【図３】本発明の遠隔監視制御システムの動作を説明するフローチャートである。
【図４】ＳＶ・ＴＭ実ポジション作成の中身を詳細に説明するフローチャートである。
【図５】ＴＣ取替メニューにおけるＭＰインポートの画面の一例を示す図である。
【図６】ＴＣ取替メニューにおけるＳＶ処理項目の実ポジション作成の画面の一例を示す図である。
【図７】変更前ＣＨを選択する画面の一例を示す図である。
【図８】ＣＨを選択する画面の一例を示す図である。
【図９】全件取込画面の一例を示す図である。
【図１０】日付入力画面の一例を示す図である。
【図１１】日付設定画面の一例を示す図である。
【図１２】表示更新画面の一例を示す図である。
【図１３】引用機能を説明する画面の一例を示す図である。
【図１４】並べ替え機能を説明する画面の一例を示す図である。
【図１５】確定及び解除機能を説明する画面の一例を示す図である。
【図１６】ＴＣ取替メニューにおけるＴＭ処理項目の実ポジション作成の画面の一例を示す図である。
【図１７】ＤＸデータ取込の画面の一例を示す図である。
【図１８】ポジション表印刷画面の一例を示す図である。
【図１９】送信データ作成画面の一例を示す図である。
【符号の説明】
【００１９】
３  電力会社、７  メンテナンス会社、６０、６１  制御対象機器、６２、６３、６４  ＴＣ装置、６５、６７  ＤＸ装置、６６、７０  ネットワーク、６８  ＭＰ装置、６９、７３  メンテナンス装置、１００  遠隔監視制御システム
【図１】
2007317006.tif 000003
【図２】
2007317006.tif 000004
【図３】
2007317006.tif 000005
【図４】
2007317006.tif 000006
【図５】
2007317006.tif 000007
【図６】
2007317006.tif 000008
【図７】
2007317006.tif 000009
【図８】
2007317006.tif 000010
【図９】
2007317006.tif 000011
【図１０】
2007317006.tif 000012
【図１１】
2007317006.tif 000013
【図１２】
2007317006.tif 000014
【図１３】
2007317006.tif 000015
【図１４】
2007317006.tif 000016
【図１５】
2007317006.tif 000017
【図１６】
2007317006.tif 000018
【図１７】
2007317006.tif 000019
【図１８】
2007317006.tif 000020
【図１９】
2007317006.tif 000021